(57)【要約】【課題】焦点距離が可変の光学系を通して適切な表示像を観察しうる表示装置を提供する。【解決手段】表示装置は、電圧に応じて焦点距離を変化させる光学素子３１０を有する光学系３００Ｃと、光学系３００Ｃを通して観察される表示手段３０６と、所定信号に応じて、表示手段３０６の表示および光学系３００Ｃ（３１０）に対する電圧の供給を制御する制御手段１６とを備える。【選択図】図３
2009086585.tif 000002
【特許請求の範囲】
【請求項１】
電圧に応じて焦点距離を変化させる光学素子を有する光学系と、
前記光学系を通して観察される表示手段と、
所定信号に応じて、前記表示手段の表示および前記光学系に対する電圧の供給を制御する制御手段とを備えることを特徴とする表示装置。
【請求項２】
請求項１に記載の表示装置において、
前記所定信号は前記光学系に対する電圧供給の停止を指示する信号であり、
前記制御手段は、前記光学系へ電圧を供給中であって、前記表示手段が非表示中に前記信号が入力された場合、前記光学系への電圧供給を停止させることを特徴とする表示装置。
【請求項３】
請求項１または２に記載の表示装置において、
前記所定信号は前記光学系に対する電圧供給の停止を指示する信号であり、
前記制御手段は、前記光学系へ電圧を供給中であって、前記表示手段が表示中に前記信号が入力された場合、少なくとも前記表示手段による表示が行われている間は前記光学系への電圧供給を維持させることを特徴とする表示装置。
【請求項４】
請求項１〜３のいずれか一項に記載の表示装置において、
前記制御手段は、前記表示手段に対する制御と前記光学系に対する制御とを異なるタイミングで行うことを特徴とする表示装置。
【請求項５】
請求項４に記載の表示装置において、
前記所定信号は前記表示手段による表示の開始を指示する信号であり、
前記制御手段は、前記光学系に対する電圧供給が停止中であって、前記表示手段が非表示中に前記信号が入力された場合、前記光学系への電圧供給を開始させてから前記表示手段による表示を開始させることを特徴とする表示装置。
【請求項６】
請求項４または５に記載の表示装置において、
前記所定信号は前記表示手段による表示の停止を指示する信号であり、
前記制御手段は、前記光学系へ電圧を供給中であって、前記表示手段が表示中に前記信号が入力された場合、前記表示手段による表示を停止させてから前記光学系への電圧供給を停止させることを特徴とする表示装置。
【請求項７】
請求項５に記載の表示装置において、
前記制御手段は、前記光学系に対して電圧供給を開始する際には、前記光学系に対する電圧供給を停止した直前の電圧値で供給させることを特徴とする表示装置。
【請求項８】
請求項７に記載の表示装置において、
前記光学素子および／またはその近傍の環境情報を検出する環境情報検出手段をさらに備え、
前記制御手段は、前記光学系に対して電圧供給を開始させる電圧値を、前記環境情報検出手段で検出された環境情報に応じて補正することを特徴とする表示装置。
【請求項９】
請求項８に記載の表示装置において、
前記環境情報は温度情報を含み、
前記制御手段は、前記光学系に対して電圧供給を開始させる電圧値を、前記温度に応じて補正することを特徴とする表示装置。
【請求項１０】
請求項９に記載の表示装置において、
前記光学系は、前記供給電圧に応じて視度調節を行うことを特徴とする表示装置。
【請求項１１】
請求項１〜１０のいずれか一項に記載の表示装置において、
前記光学系を通さずに観察される第２表示手段をさらに備え、
前記所定信号は、前記表示手段による表示の開始と前記第２表示手段による表示の停止とを指示する第１指示、または前記表示手段による表示の停止と前記第２表示手段による表示の開始とを指示する第２指示を択一的に指示する信号を含むことを特徴とする表示装置。
【請求項１２】
請求項１１に記載の表示装置において、
前記表示装置は撮影を行うカメラであり、
被写体像を撮像する撮像素子をさらに備え、
前記表示手段および前記第２表示手段は前記撮像素子で撮像された画像を表示することを特徴とする表示装置。
【請求項１３】
請求項１２に記載の表示装置において、
前記制御手段は、前記光学系に対する電圧供給と、前記表示手段による表示と、前記撮像素子による撮像とをそれぞれ停止する場合、前記表示手段による表示を停止させてから前記光学系への電圧供給および前記撮像素子による撮像をそれぞれ停止させることを特徴とする表示装置。
【請求項１４】
請求項１２または１３に記載の表示装置において、
前記制御手段は、前記光学系に対する電圧供給と、前記表示手段による表示と、前記撮像素子による撮像とをそれぞれ行う場合、前記表示手段による表示を開始させる前に前記光学系への電圧供給および前記撮像素子による撮像をそれぞれ開始させることを特徴とする表示装置。
【請求項１５】
請求項１２〜１４のいずれか一項に記載の表示装置において、
電圧に応じて焦点距離を変化させる第２光学素子を有する撮影光学系をさらに備え、
前記撮像素子は前記撮影光学系を通して被写体像を撮像することを特徴とする表示装置。
【請求項１６】
請求項１５に記載の表示装置において、
前記撮影光学系は、前記供給電圧に応じてフォーカス調節を行うことを特徴とする表示装置。
【請求項１７】
請求項１５または１６に記載の表示装置において、
前記制御手段は、前記撮影光学系に対する電圧供給と、前記表示手段による表示と、前記撮像素子による撮像とをそれぞれ停止する場合、前記表示手段による表示を停止させてから前記撮影光学系への電圧供給および前記撮像素子による撮像をそれぞれ停止させることを特徴とする表示装置。
【請求項１８】
請求項１５〜１７のいずれか一項に記載の表示装置において、
前記制御手段は、前記撮影光学系に対する電圧供給と、前記表示手段による表示と、前記撮像素子による撮像とをそれぞれ行う場合、前記表示手段による表示を開始させる前に前記撮影光学系への電圧供給および前記撮像素子による撮像をそれぞれ開始させることを特徴とする表示装置。
【請求項１９】
請求項１５〜１８のいずれか一項に記載の表示装置において、
前記光学素子および前記第２光学素子の少なくとも一方は、第１液体材料と、該第１液体材料と屈折率が異なり、かつ該第１液体材料と混合しない第２液体材料とが容器内に封入され、前記供給電圧に応じて前記第１液体材料および前記第２液体材料の境界面形状を変化させることによって前記焦点距離を変化させることを特徴とする表示装置。
【発明の詳細な説明】
【技術分野】
【０００１】
本発明は、表示装置に関する。
【背景技術】
【０００２】
電圧に応じて焦点距離を変化させる光学素子を用いて、カメラなどのファインダー視度を調節する技術が知られている（特許文献１参照）。特許文献２には、温度に応じた光学素子の制御を行う技術が開示されている。
【０００３】
【特許文献１】特開２００２−６２００号公報
【特許文献２】特開２００１−２４９２０３号公報
【発明の開示】
【発明が解決しようとする課題】
【０００４】
従来技術では、たとえばメインスイッチがオフされた場合には光学素子が機能しなくなってしまい、適切な光学像を観察できないという問題があった。
【課題を解決するための手段】
【０００５】
（１）本発明による表示装置は、電圧に応じて焦点距離を変化させる光学素子を有する光学系と、光学系を通して観察される表示手段と、所定信号に応じて、表示手段の表示および光学系に対する電圧の供給を制御する制御手段とを備えることを特徴とする。
（２）請求項１に記載の表示装置において、所定信号は光学系に対する電圧供給の停止を指示する信号であり、制御手段は、光学系へ電圧を供給中であって、表示手段が非表示中に信号が入力された場合、光学系への電圧供給を停止させることもできる。
（３）請求項１または２に記載の表示装置において、所定信号は光学系に対する電圧供給の停止を指示する信号であり、制御手段は、光学系へ電圧を供給中であって、表示手段が表示中に信号が入力された場合、少なくとも表示手段による表示が行われている間は光学系への電圧供給を維持させることもできる。
（４）請求項１〜３のいずれか一項に記載の表示装置において、制御手段は、表示手段に対する制御と光学系に対する制御とを異なるタイミングで行うことが好ましい。
（５）請求項４に記載の表示装置において、所定信号は表示手段による表示の開始を指示する信号であり、制御手段は、光学系に対する電圧供給が停止中であって、表示手段が非表示中に信号が入力された場合、光学系への電圧供給を開始させてから表示手段による表示を開始させることが好ましい。
（６）請求項４または５に記載の表示装置において、所定信号は表示手段による表示の停止を指示する信号であり、制御手段は、光学系へ電圧を供給中であって、表示手段が表示中に信号が入力された場合、表示手段による表示を停止させてから光学系への電圧供給を停止させることが好ましい。
（７）請求項５に記載の表示装置において、制御手段は、光学系に対して電圧供給を開始する際には、光学系に対する電圧供給を停止した直前の電圧値で供給させることが好ましい。
（８）請求項７に記載の表示装置はさらに、光学素子および／またはその近傍の環境情報を検出する環境情報検出手段を備えてもよい。この場合の制御手段は、光学系に対して電圧供給を開始させる電圧値を、環境情報検出手段で検出された環境情報に応じて補正することもできる。
（９）請求項８に記載の表示装置において、環境情報は温度情報を含んでもよく、この場合の制御手段は、光学系に対して電圧供給を開始させる電圧値を、温度に応じて補正することもできる。
（１０）請求項９に記載の表示装置において、光学系は、供給電圧に応じて視度調節を行うこともできる。
（１１）請求項１〜１０のいずれか一項に記載の表示装置はさらに、光学系を通さずに観察される第２表示手段を備えてもよい。この場合の所定信号は、表示手段による表示の開始と第２表示手段による表示の停止とを指示する第１指示、または表示手段による表示の停止と第２表示手段による表示の開始とを指示する第２指示を択一的に指示する信号を含んでもよい。
（１２）請求項１１に記載の表示装置において、表示装置は撮影を行うカメラであって、被写体像を撮像する撮像素子を備えてもよい。この場合の表示手段および第２表示手段は、撮像素子で撮像された画像を表示することもできる。
（１３）請求項１２に記載の表示装置において、制御手段は、光学系に対する電圧供給と、表示手段による表示と、撮像素子による撮像とをそれぞれ停止する場合、表示手段による表示を停止させてから光学系への電圧供給および撮像素子による撮像をそれぞれ停止させることが好ましい。
（１４）請求項１２または１３に記載の表示装置において、制御手段は、光学系に対する電圧供給と、表示手段による表示と、撮像素子による撮像とをそれぞれ行う場合、表示手段による表示を開始させる前に光学系への電圧供給および撮像素子による撮像をそれぞれ開始させることが好ましい。
（１５）請求項１２〜１４のいずれか一項に記載の表示装置はさらに、電圧に応じて焦点距離を変化させる第２光学素子を有する撮影光学系をさらに備えてもよい。この場合の撮像素子は、撮影光学系を通して被写体像を撮像することが好ましい。
（１６）請求項１５に記載の表示装置において、撮影光学系は、供給電圧に応じてフォーカス調節を行うこともできる。
（１７）請求項１５または１６に記載の表示装置において、制御手段は、撮影光学系に対する電圧供給と、表示手段による表示と、撮像素子による撮像とをそれぞれ停止する場合、表示手段による表示を停止させてから撮影光学系への電圧供給および撮像素子による撮像をそれぞれ停止させることが好ましい。
（１８）請求項１５〜１７のいずれか一項に記載の表示装置において、制御手段は、撮影光学系に対する電圧供給と、表示手段による表示と、撮像素子による撮像とをそれぞれ行う場合、表示手段による表示を開始させる前に撮影光学系への電圧供給および撮像素子による撮像をそれぞれ開始させることが好ましい。
（１９）請求項１５〜１８のいずれか一項に記載の表示装置において、光学素子および第２光学素子の少なくとも一方は、第１液体材料と、該第１液体材料と屈折率が異なり、かつ該第１液体材料と混合しない第２液体材料とが容器内に封入され、供給電圧に応じて第１液体材料および第２液体材料の境界面形状を変化させることによって焦点距離を変化させることもできる。
【発明の効果】
【０００６】
本発明による表示装置では、焦点距離が可変の光学系を通して適切な表示像を観察できる。
【発明を実施するための最良の形態】
【０００７】
以下、図面を参照して本発明を実施するための最良の形態について説明する。
（第一の実施形態）
図１は、本発明の第一の実施形態による電子カメラの正面図である。図１において電子カメラ１は、レリーズスイッチ３と、メインスイッチ４と、フラッシュ発光窓６と、アンテナ７と、レンズ鏡筒８とを有する。
【０００８】
図２は、図１の電子カメラ１の背面図である。図２において電子カメラ１は、表示部９と、ファインダー接眼窓１０と、ズームスイッチ１１と、メニュースイッチ１２と、モードダイヤル１３と、十字キー１４と、決定スイッチ１５とを有する。
【０００９】
図３は、電子カメラ１の要部構成を例示するブロック図である。ＣＰＵ１６は、後述する各ブロックから出力される信号を入力して所定の演算を行い、演算結果に基づく制御信号を各ブロックへ出力する。ＣＰＵ１６が実行するプログラムは、ＣＰＵ１６内の不揮発性メモリ（不図示）に格納されている。
【００１０】
撮影光学系４００はレンズ鏡筒８（図１）内に構成され、被写体像を撮像素子４０１の撮像面上に結像させる。撮像素子４０１は、ＣＣＤイメージセンサなどによって構成される。撮像素子４０１は、撮像面上の被写体像を撮像して撮像信号を出力する。Ａ／Ｄ変換回路４０２は、不図示の信号処理回路によってアナログ処理（ゲインコントロールなど）された後の撮像信号をディジタル信号に変換する。
【００１１】
ＣＰＵ１６は画像処理部を含み、ディジタル変換後の画像データにホワイトバランス処理などの画像処理を行う他、画像処理後の画像データを所定の形式で圧縮する圧縮処理、圧縮された画像データを伸長する伸長処理などを行う。メモリ１７はＣＰＵ１６による作業用メモリとして使用される他、表示部９に表示されるデータを格納する表示用メモリ(VRAM)として使用される。また、ＣＰＵ１６は、ＣＦカードやＳＤカードのような外部メモリ１７Ｂに画像データの書き込み（保存処理）を行ったりする。
【００１２】
フォーカス駆動部１９は、撮影光学系４００を構成するフォーカスレンズを光軸方向に進退移動させてフォーカス調節を行う。フォーカスレンズの移動量を示す信号は、ＣＰＵ１６からフォーカス駆動部１９へ送出される。ＣＰＵ１６は、測距素子（不図示）による検出信号を用いて撮影光学系４００による焦点調節状態を検出し、検出結果に応じてフォーカスレンズの移動量を算出するように構成される。なお、測距素子を用いずに、撮像素子４０１による撮像データからコントラストを検出する方式によって、合焦するフォーカスレンズ位置を求めるように構成してもよい。
【００１３】
ズーム駆動部２１は、ＣＰＵ１６からの指示に応じて撮影光学系４００を構成するズームレンズを光軸方向に進退移動させて倍率を変更する。
【００１４】
観察光学系３００Ｃは液晶表示素子３０６、視野枠３０４、可変焦点部材３１０および接眼レンズ３１３を含むレンズ群３１２を有し、いわゆる電子ビューファインダー(EVF)を構成する。液晶表示素子３０６はカラー液晶表示パネルによって構成される。ＣＰＵ１６は、撮像素子４０１によって撮像されたモニタ画像を液晶表示素子３０６に表示させる。可変焦点部材３１０は、液晶表示素子３０６の表示画面を拡大するとともに、給電部５０１から印加される電圧に応じて焦点距離を変え、観察光学系３００Ｃの視度を調節する。電子カメラ１のユーザは、ファインダー接眼窓１０を介して拡大されたモニタ画像を観察する。
【００１５】
可変焦点部材３１０は、いわゆる液体レンズによって構成される。この液体レンズ３１０は、互いに異なる屈折率を有するものであり、かつ互いに混合することのない２種類の液体３１０Ａ、３１０Ｂが容器内に封入されたものである。この液体レンズ３１０に電圧を加えると、その印加される電圧に応じて２種類の液体の境界面形状が変化する。この変化により焦点距離が変化する。なお、液体の一実施形態としては、一方の液体を導電性の塩化リチウム水溶液を使用し、他方の液体３１０Ｂとして絶縁性のシリコンオイルを使用する。本実施形態では、両液体３１０Ａ、３１０Ｂは同じ密度をもつものを使用するが、本発明はこれに限定するものではない。また、液体３１０Ａ、３１０Ｂの順序（光軸方向における配列順序）もこれに限られるものではない。
【００１６】
給電部５０１は可変ＤＣ／ＤＣ変換回路を含み、ＣＰＵ１６からの指示に応じた電圧を可変焦点部材３１０へ印加する。電源５０２は電池によって構成され、給電部５０１およびＣＰＵ１６を含むカメラ内各部へ電力を供給する。電圧計５０３は、電源５０２の電池電圧、給電部５０１の出力電圧をそれぞれ検出し、電圧検出信号をＣＰＵ１６へ送出する。温度センサ３１１は、可変焦点部材３１０の温度を検出し、温度検出信号をＣＰＵ１６へ送出する。なお、温度センサ３１１を可変焦点部材３１０に密着するように配設してもよいし、温度センサ３１１を可変焦点部材３１０の近傍に配設し、可変焦点部材３１０の周囲温度を検出する構成としてもよい。マイク１８は、入力された音声を電気信号に変換してＣＰＵ１６へ送出する。
【００１７】
レリーズスイッチ３、メインスイッチ４、ズームスイッチ１１、モードダイヤル１３、十字キー１４、メニュースイッチ１２、および決定スイッチ１５は操作部材を構成する。各スイッチおよびダイヤルは、それぞれの設定操作に応じた操作信号を発生してＣＰＵ１６へ送出する。表示部９はカラー液晶表示パネルによって構成され、ＣＰＵ１６からの指示に応じて撮影画像や操作メニュー（撮影機能や撮影条件などの設定／変更を行うための操作メニュー）、電子カメラ１に設定されている情報などを表示する。
【００１８】
アンテナ７に電気的に接続している通信部２３は、ＣＰＵ１６からの指示によって電子カメラ１と無線接続されている外部機器２００との間で通信を行う。電子カメラ１および外部機器２００間の通信では、たとえば外部データサーバー２５１側のデータベース２５２に登録されているメンテナンス情報やデータ等が電子カメラ１へ送信される一方、カメラＩＤ情報やメンテナンス情報等が電子カメラ１から外部データサーバー２５１へ送信される。アンテナ７は無線通信の送受信に使用される。無線ＬＡＮアクセスポイント２０１、インターネット２１０、外部データサーバー２５１、およびデータベース２５２は外部機器２００を構成する。
【００１９】
本実施形態の電子カメラ１は、観察光学系（ファインダー）３００Ｃの可変焦点部材３１０へ供給する電圧の制御に特徴を有するので、この点を中心に図４〜図７のフローチャートを参照して説明する。図４は、電子カメラ１のＣＰＵ１６が実行するメイン処理の流れを説明するフローチャートである。ＣＰＵ１６は、電池５０２が電源として電子カメラ１に装填されると図４の処理を起動する。
【００２０】
＜メイン処理＞
図４のステップＳ１１において、ＣＰＵ１６は電源オン操作されたか否かを判定する。ＣＰＵ１６は、メインスイッチ４からオン操作信号が入力された場合、または無操作タイムアップ中に各操作スイッチもしくは操作ボタンの操作を示す信号が入力された場合（メインスイッチ４からのオフ操作信号を除く）にステップＳ１１を肯定判定してステップＳ１２へ進み、所定の電源オン処理を行う。電源オン処理は、電源５０２からカメラ内各部へ給電を開始させる指示を含む。ＣＰＵ１６は、メインスイッチ４からオン操作信号が入力されない場合、および無操作タイムアップ中に各操作スイッチもしくは操作ボタンの操作を示す信号が入力されない場合にはステップＳ１１を否定判定し、当該判定処理を繰り返す。
【００２１】
ステップＳ１２において、ＣＰＵ１６は、無操作タイマーをリセットおよびスタートさせてステップＳ１３へ進む。これにより、電子カメラ１に対する操作が行われない状態で所定時間（たとえば３０秒）を計時すると、ＣＰＵ１６の内蔵タイマーがタイムアップ信号を発する。
【００２２】
ステップＳ１３において、ＣＰＵ１６は初期設定処理を行ってステップＳ１４へ進む。初期設定処理の詳細については後述する。ステップＳ１４において、ＣＰＵ１６はメニュー操作が選択されたか否かを判定する。ＣＰＵ１６は、メニュースイッチ１２の押下操作を示す信号が入力されるとステップＳ１４を肯定判定し、ステップＳ１５のメニューモードへ進む。ＣＰＵ１６は、メニュースイッチ１２の押下を示す操作信号が入力されない場合にはステップＳ１４を否定判定し、ステップＳ１６へ進む。
【００２３】
ステップＳ１５において、ＣＰＵ１６はセットアップメニュー表示処理を行ってステップＳ２３へ進む。セットアップメニュー表示処理では、撮影機能や撮影条件などの設定／変更を行うための操作画面を表示部９に表示させる。ＣＰＵ１６は、ユーザが操作画面を見ながら操作した十字キー１４などからの操作信号を受け付けることにより、各項目の設定や変更を行う。設定／変更項目には、ファインダー３００Ｃの視度調節も含まれている。ＣＰＵ１６は、十字キー１４からの操作信号に応じて給電部５０１へ指示を送り、可変焦点部材３１０へ印加する電圧を変化させてファインダー３００Ｃの視度調節を行う。
【００２４】
ステップＳ２３において、ＣＰＵ１６は温度フィードバック処理を行ってステップＳ２４へ進む。温度フィードバック処理の詳細については後述する。ステップＳ２４において、ＣＰＵ１６は、電源オフ操作の受付を許可してステップＳ２５へ進む。電子カメラ１は、各モード（メニューモード、撮影モード、および再生モード）における動作開始後は、電源オフ操作受付可を実行してから電源オフ操作を受付けるように構成されている。
【００２５】
ステップＳ２５において、ＣＰＵ１６は、電源オフ（メインスイッチオフ）操作されたか、または無操作タイムアップしたか否かを判定する。ＣＰＵ１６は、メインスイッチ４からオフ操作信号が入力された場合、または無操作タイマーがタイムアップ信号を発した場合はステップＳ２５を肯定判定してステップＳ２７へ進む。ＣＰＵ１６は、各操作スイッチもしくは操作ボタン操作を示す信号が入力された場合（メインスイッチ４からのオフ操作信号を除く）は、ステップＳ２５を否定判定してステップＳ２８へ進む。
【００２６】
ステップＳ２７において、ＣＰＵ１６は電源オフ処理を行ってステップＳ１１へ戻る。電源オフ処理の詳細については後述する。ステップＳ２８において、ＣＰＵ１６は、無操作タイマーをリセットしてステップＳ１４へ戻る。
【００２７】
ステップＳ１４を否定判定して進むステップＳ１６において、ＣＰＵ１６は再生指示されたか否かを判定する。ＣＰＵ１６は、モードダイヤル１３から、撮影済みの画像を表示部９上に、あるいは外部接続されているモニタ上に再生表示を行う再生モードへの切換設定を示す操作信号が入力されている場合にステップＳ１６を肯定判定し、ステップＳ２０の再生モードへ進む。ＣＰＵ１６は、モードダイヤル１３から、被写体を撮影して外部メモリ１７Ｂに記録する撮影モードへの切換設定を示す操作信号が入力されている場合にステップＳ１６を否定判定し、ステップＳ１７の撮影モードへ進む。
【００２８】
ステップＳ１７において、ＣＰＵ１６は、撮影モード初期値設定を行ってステップＳ１８へ進む。具体的には、撮影処理に必要なフラグやパラメータ類をセットする。ステップＳ１８において、ＣＰＵ１６は撮影モード選択の受付を許可してステップＳ１９へ進む。これにより、電子カメラ１は撮影モードに切替わる。ステップＳ１９において、ＣＰＵ１６は、撮影操作の受付を許可してステップＳ２３へ進む。これにより、ＣＰＵ１６は、撮影が指示（レリーズスイッチ３から操作信号が入力）されると所定の撮影処理を実行する。
【００２９】
ステップＳ２０において、ＣＰＵ１６は、再生モード初期値設定を行ってステップＳ２１へ進む。具体的には、再生処理に必要なフラグやパラメータ類をセットする。ステップＳ２１において、ＣＰＵ１６は再生モード選択の受付を許可してステップＳ２２へ進む。これにより、電子カメラ１は再生モードに切替わる。ステップＳ２２において、ＣＰＵ１６は、再生操作の受付を許可してステップＳ２３へ進む。これにより、ＣＰＵ１６は、再生が指示されると所定の再生処理を実行する。
【００３０】
＜初期設定処理＞
図５は、前述の図４のステップＳ１３における初期設定処理の詳細を説明するフローチャートである。図５のステップＳ１３１において、ＣＰＵ１６は電子カメラ１の本体各部の初期設定を行ってステップＳ１３２へ進む。ステップＳ１３２において、ＣＰＵ１６は不揮発性メモリに記憶されている視度情報（ｘ）、電圧情報（Ｖ）および温度情報（ｔ）を読み出してステップＳ１３３へ進む。
【００３１】
視度情報（ｘ）、電圧情報（Ｖ）および温度情報（ｔ）は、後述する電源オフ処理（図７）において記憶されたものである。視度情報は、観察光学系（ファインダー）３００Ｃに設定されている視度値を示す。電圧情報は、観察光学系（ファインダー）３００Ｃを所望の視度値に視度調節するために必要な電圧値であり、可変焦点部材３１０に印加する電圧値を示す。温度情報は、温度センサ３１１で検出された可変焦点部材３１０の温度を示す。
【００３２】
ステップＳ１３３において、ＣＰＵ１６は可変焦点部材３１０の温度計測を行う。具体的には、温度センサ３１１から温度検出信号を入力してステップＳ１３４へ進む。
【００３３】
ステップＳ１３４において、ＣＰＵ１６は、ステップＳ１３２で読み出した視度情報（ｘ）に応じた焦点距離を再現するように可変焦点部材３１０に対する印加電圧を決定する。具体的には、ステップＳ１３３で計測した温度情報と、ステップＳ１３２で読み出した温度情報（ｔ）とに基づいてステップＳ１３２で読み出した電圧情報（Ｖ）を増減し、これらの温度差によって生じる可変焦点部材３１０の焦点距離の変動を抑制して不揮発性メモリに記憶されている視度情報（ｘ）を得るために必要な印加電圧を求める。
【００３４】
ステップＳ１３５において、ＣＰＵ１６は、上記決定電圧を給電部５０１に指示してステップＳ１３６へ進む。これにより、可変焦点部材３１０（光学素子）への給電電圧が制御される。ステップＳ１３６において、ＣＰＵ１６は視度情報（ｘ）、電圧情報（Ｖ）および温度情報（ｔ）をＣＰＵ１６内の不揮発性メモリ（不図示）へそれぞれ更新記憶させてステップＳ１３７へ進む。
【００３５】
ステップＳ１３７において、ＣＰＵ１６は、撮像素子４０１を起動させてステップＳ１３８へ進む。ステップＳ１３８において、ＣＰＵ１６は、観察光学系３００Ｃの液晶表示素子３０６を起動させて図５による処理を終了する。これにより、撮像素子４０１によって撮像された画像を用いて生成されたモニタ画像が液晶表示素子３０６に表示され、ユーザは、可変焦点部材３１０によって拡大されたモニタ画像をファインダー接眼窓１０から観察できる。
【００３６】
＜温度フィードバック処理＞
図６は、図４のステップＳ２３における温度フィードバック処理の詳細を説明するフローチャートである。図６のステップＳ２３１において、ＣＰＵ１６は所定間隔で可変焦点部材３１０の温度計測を行う。具体的には、たとえば５分間隔で温度センサ３１１から温度検出信号を入力し、直近の検出信号を採用してステップＳ２３２へ進む。
【００３７】
ステップＳ２３２において、ＣＰＵ１６は観察光学系３００Ｃに設定されている視度を維持するように可変焦点部材３１０に対する印加電圧を決定する。具体的には、ステップＳ２３１で計測した温度情報と初期設定時の温度情報とに所定値（たとえば５℃）以上の温度差がある場合、この温度差によって生じる可変焦点部材３１０の焦点距離の変動を抑制するように可変焦点部材３１０へ印加する電圧値を求める。
【００３８】
ステップＳ２３３において、ＣＰＵ１６は、上記決定電圧を給電部５０１に指示してステップＳ２３４へ進む。これにより、ステップＳ２３４において可変焦点部材３１０（光学素子）への給電電圧が制御される。ステップＳ２３５において、ＣＰＵ１６は視度情報（ｘ）および電圧情報（Ｖ）をＣＰＵ１６内の不揮発性メモリ（不図示）へそれぞれ更新記憶させて図６による処理を終了する。図６によれば、温度変動に応じて印加電圧が微調整される。
【００３９】
＜電源オフ処理＞
図７は、図４のステップＳ２７における電源オフ処理の詳細を説明するフローチャートである。図７のステップＳ２７１において、ＣＰＵ１６は、観察光学系３００Ｃの液晶表示素子３０６をオフさせてステップＳ２７２へ進む。ステップＳ２７２において、ＣＰＵ１６は、撮像素子４０１をオフさせてステップＳ２７３へ進む。
【００４０】
ステップＳ２７３において、ＣＰＵ１６は視度情報（ｘ）、電圧情報（Ｖ）および温度情報（ｔ）をＣＰＵ１６内の不揮発性メモリ（不図示）へそれぞれ更新記憶させてステップＳ２７４へ進む。ステップＳ２７４において、ＣＰＵ１６は、可変焦点部材３１０（光学素子）への電圧印加の停止を給電部５０１に指示してステップＳ２７５へ進む。これにより、ファインダー３００Ｃの視度調節状態が解除される。
【００４１】
ステップＳ２７５において、ＣＰＵ１６は、カメラ本体電源のオフ処理を行って図７による処理を終了する。電源オフ処理では、カメラ内各部への給電を停止するように電源５０２へ指示を送る。
【００４２】
以上説明した第一の実施形態によれば、次の作用効果が得られる。
（１）電子カメラ１は、印加電圧に応じて焦点距離を変える可変焦点部材３１０（液体レンズ）を通して、液晶表示素子３０６が生成した像（モニタ画像）を観察するための観察光学系３００Ｃを備える。メインスイッチ４の操作信号や無操作タイムアップ信号が入力されると、該信号に応じて液晶表示素子３０６による表示（モニタ画像の生成）および可変焦点部材３１０への電圧供給をそれぞれ制御する。たとえばメインスイッチがオフされた場合に、可変焦点部材３１０による視度調節機能の停止（オフ）と液晶表示素子３０６による表示停止（オフ）とをタイミングをずらして順に行えば、像がぼけた不適切な光学像をユーザが観察するおそれを低減できる。
【００４３】
（２）メインスイッチオフ操作信号が入力された場合（または無操作タイムアップ時）において、液晶表示素子３０６による表示（モニタ画像の生成）が行われていなければ可変焦点部材３１０の機能を停止させるようにした。液晶表示素子３０６がモニタ画像を生成していない場合は、可変焦点部材３１０のオン／オフ状態が接眼レンズ３１３を覗くユーザにはわからず、ユーザに違和感を与えることがない。
【００４４】
（３）メインスイッチオフ操作信号が入力された場合（または無操作タイムアップ時）において、液晶表示素子３０６による表示（モニタ画像の生成）が行われている間は可変焦点部材３１０をオンさせておくようにした。液晶表示素子３０６がモニタ画像を表示している場合は、可変焦点部材３１０がオフされると観察像がぼけて接眼レンズ３１３を覗くユーザにわかってしまう。モニタ画像が表示されている間は可変焦点部材３１０をオンさせておくことで、ユーザがぼけた像を観察することを防止できる。
【００４５】
（４）たとえばメインスイッチオン操作信号が入力された場合のように、液晶表示素子３０６による表示（モニタ画像の生成）の開始を指示する操作信号が入力された場合において、可変焦点部材３１０をオンさせてから液晶表示素子３０６がモニタ画像を表示するようにした。モニタ画像を表示する以前に可変焦点部材３１０をオンさせておくことで、ユーザがぼけた像を観察することを防止できる。
【００４６】
（５）たとえばメインスイッチオフ操作信号が入力された場合のように、液晶表示素子３０６による表示（モニタ画像の生成）の停止を指示する操作信号が入力された場合において、液晶表示素子３０６にモニタ画像の表示を停止させてから可変焦点部材３１０の機能を停止させるようにした。可変焦点部材３１０をオフする以前にモニタ画像の表示を停止させておくことで、ユーザがぼけた像を観察することを防止できる。
【００４７】
（６）可変焦点部材３１０の温度情報を検出し、この温度情報を用いて可変焦点部材３１０に印加する電圧を増減するようにした（図６）。このような環境フィードバック処理を施すことにより、液体レンズのパワーが温度依存性を有する場合には検出温度に応じてパワーを補正し、電子カメラ１を使用する温度にかかわらず、ファインダー視度の変動を抑えることができる。
【００４８】
（７）ＣＰＵ１６内の不揮発性メモリ（不図示）へ記憶する情報として温度情報を含めるようにしたので、情報記憶時と異なる温度環境においても、情報記憶時と同じファインダー（観察光学系３００Ｃ）の視度を再現できる。
【００４９】
（第二の実施形態）
本発明の第二の実施形態として、表示モードを切替えるための表示モード切替スイッチを電子カメラが備える例を説明する。表示モードは、モニタ画像を液晶表示素子３０６に表示させるEVF表示モードと、モニタ画像を表示部９に表示させる外部表示モードとが択一切替される。
【００５０】
図８は、第二の実施形態による電子カメラ１Ｂの背面図である。第一の実施形態（図２）と比べて、表示モード切替スイッチ１５Ｂが設けられている点が異なる。表示モード切替スイッチ１５Ｂは、押下操作されるごとにEVF表示モードおよび外部表示モード間相互の切替え操作信号をＣＰＵ１６（図９）へ送出する。図９は、電子カメラ１Ｂの要部構成を例示するブロック図である。第一の実施形態（図３）と比べて、撮影光学系４００Ｃが設けられる点、フォーカス駆動部１９Ｂおよび給電部５０４が設けられる点が異なる。
【００５１】
撮影光学系４００Ｃは、観察光学系３００Ｃが有する可変焦点部材３１０（液体レンズ）と同様の構成を備える可変焦点部材４１０（液体レンズ）と、温度センサ４１１とを有する。温度センサ４１１は、可変焦点部材４１０の温度を検出し、温度検出信号をＣＰＵ１６へ送出する。給電部５０４は可変ＤＣ／ＤＣ変換回路を含み、フォーカス駆動部１９Ｂからの指示に応じた電圧を可変焦点部材４１０へ印加する。
【００５２】
フォーカス駆動部１９Ｂは、可変焦点部材４１０の焦点距離を変化させることによって撮影光学系４００Ｃのフォーカス調節を行う。フォーカス調節量およびその調節方向（焦点を移動させる方向であり、至近側または無限遠側である）を示す信号は、ＣＰＵ１６からフォーカス駆動部１９Ｂへ送出される。
【００５３】
第二の実施形態の電子カメラ１Ｂは、観察光学系（ファインダー）３００Ｃおよび撮影光学系４００Ｃの可変焦点部材３１０、４１０にそれぞれ印加する電圧の制御に特徴を有するので、この点を中心に図１０〜図１４のフローチャートを参照して説明する。図１０は、電子カメラ１ＢのＣＰＵ１６が実行するメイン処理の流れを説明するフローチャートである。ＣＰＵ１６は、電池５０２が電源として電子カメラ１に装填されると図１０の処理を起動する。
【００５４】
＜メイン処理＞
図１０のフローチャートは、第一の実施形態（図４）と比べてステップＳ２３Ａの処理が追加される点が異なるので、この処理を中心に説明する。ＣＰＵ１６は、ステップＳ２３Ａにおいて、表示切替操作の受付を許可してステップＳ２３へ進む。電子カメラ１Ｂは、各モード（メニューモード、撮影モード、および再生モード）における動作開始後は、表示切替操作受付可を実行してから、EVF表示モードおよび外部表示モード間の切替操作（表示モード切替スイッチ１５Ｂからの操作信号）を受付けるように構成されている。
【００５５】
＜初期設定処理＞
図１１は、前述の図１０のステップＳ１３における初期設定処理の詳細を説明するフローチャートである。図１１のステップＳ１３１において、ＣＰＵ１６は電子カメラ１の本体各部の初期設定を行ってステップＳ１４１へ進む。ステップＳ１４１において、ＣＰＵ１６は不揮発性メモリに記憶されている撮影光学系側の無限遠電圧情報（Ｖ∞）および温度情報（ｔb）を読み出してステップＳ１４２へ進む。無限遠電圧情報は、撮影光学系４００Ｃのフォーカスを無限遠に調節するために必要な電圧値であり、可変焦点部材４１０に印加する電圧値を示す。無限遠電圧情報（Ｖ∞）は、あらかじめ不揮発性メモリに記憶されている。温度情報（ｔb）は、温度センサ４１１で検出された可変焦点部材４１０の温度を示す。温度情報（ｔb）は後述する電源オフ処理（図１４）において記憶されたものである。
【００５６】
ステップＳ１４２において、ＣＰＵ１６は可変焦点部材３１０および可変焦点部材４１０の温度計測をそれぞれ行う。具体的には、温度センサ３１１および温度センサ４１１から温度検出信号をそれぞれ入力してステップＳ１４３へ進む。
【００５７】
ステップＳ１４３において、ＣＰＵ１６は、フォーカスを無限遠にするように可変焦点部材４１０に対する印加電圧を決定する。具体的には、ステップＳ１４２で計測した可変焦点部材４１０の温度情報と、ステップＳ１４１で読み出した温度情報（ｔb）とに基づいてステップＳ１４１で読み出した無限遠電圧情報（Ｖ∞）を増減し、これらの温度差によって生じる可変焦点部材４１０の焦点距離の変動を抑制して撮影光学系４００Ｃによるフォーカスを無限遠にするために必要な印加電圧を求める。
【００５８】
ステップＳ１４４において、ＣＰＵ１６は、上記決定電圧をフォーカス駆動部１９Ｂから給電部５０４へ指示させてステップＳ１４５へ進む。これにより、可変焦点部材４１０（光学素子）への給電電圧が制御される。ステップＳ１４５において、ＣＰＵ１６は温度情報（ｔb）をＣＰＵ１６内の不揮発性メモリ（不図示）へ更新記憶させてステップＳ１４６へ進む。
【００５９】
ステップＳ１４６において、ＣＰＵ１６は不揮発性メモリ（不図示）から表示モードを示す情報を呼出してステップＳ１４７へ進む。ステップＳ１４７において、ＣＰＵ１６は、現在設定されている表示モードがEVF表示モードか否かを判定する。ＣＰＵ１６は、上記呼出し情報がEVF表示モードを示す場合にステップＳ１４７を肯定判定してステップＳ１３２へ進む。ＣＰＵ１６は、上記呼出し情報が外部表示モードを示す場合にはステップＳ１４７を否定判定し、ステップＳ１４８へ進む。
【００６０】
外部表示モードへ切替えているＣＰＵ１６は、ステップＳ１４８において、撮像素子４０１を起動させてステップＳ１４９へ進む。ステップＳ１４９において、ＣＰＵ１６は、表示部９を起動させて図１１による処理を終了する。これにより、撮像素子４０１によって撮像された画像を用いて生成されたモニタ画像が表示部９に表示され、ユーザは、表示部９の表示画面からモニタ画像を観察できる。
【００６１】
EVF表示モードへ切替えているＣＰＵ１６は、ステップＳ１３２、ステップＳ１３４〜ステップＳ１３８の処理を行って図１１による処理を終了する。ステップＳ１３２、ステップＳ１３４〜ステップＳ１３８の処理は、図５の処理における同一ステップ番号の処理と同様なので説明を省略する。なお、ステップＳ１３２において読み出す視度情報（ｘ）、電圧情報（Ｖ）および温度情報（ｔ）は、後述する電源オフ処理（図１４）において記憶されたものである。また、ステップＳ１３４において印加電圧を決定する際は、ステップＳ１４２で計測した温度情報（観察光学系側）と、ステップＳ１３２で読み出した温度情報（ｔ）とに基づいてステップＳ１３２で読み出した電圧情報（Ｖ）を増減する。
【００６２】
以上のステップＳ１３２、Ｓ１３４〜ステップＳ１３８の処理により、撮像素子４０１によって撮像された画像を用いて生成されたモニタ画像が液晶表示素子３０６に表示され、ユーザは、可変焦点部材３１０によって拡大されたモニタ画像をファインダー接眼窓１０から観察できる。
【００６３】
＜表示切替処理＞
図１２は、ＣＰＵ１６が実行する表示切替処理の詳細を説明するフローチャートである。図１２による処理は、メイン処理（図１０）において表示切替操作の受付が許可（ステップＳ２３Ａ）された後に、表示モード切替スイッチ１５Ｂから操作信号が入力されると起動する。
【００６４】
図１２のステップＳ２０１において、ＣＰＵ１６は、現在設定されている表示モードがEVF表示モードか否かを判定する。ＣＰＵ１６は、不揮発性メモリ（不図示）から呼出した情報がEVF表示モードを示す場合にステップＳ２０１を肯定判定してステップＳ２１０へ進む。ＣＰＵ１６は、上記呼出し情報が外部表示モードを示す場合にはステップＳ２０１を否定判定し、ステップＳ２０２へ進む。
【００６５】
ステップＳ２１０へ進む場合はEVF表示モード→外部表示モードへ切替える場合である。ステップＳ２１０において、ＣＰＵ１６は、観察光学系３００Ｃの液晶表示素子３０６をオフさせてステップＳ２１１へ進む。ステップＳ２１１において、ＣＰＵ１６は視度情報（ｘ）、電圧情報（Ｖ）および温度情報（ｔ）をＣＰＵ１６内の不揮発性メモリ（不図示）へそれぞれ更新記憶させてステップＳ２１２へ進む。
【００６６】
ステップＳ２１２において、ＣＰＵ１６は、可変焦点部材３１０（光学素子）への電圧印加の停止を給電部５０１に指示してステップＳ２１３へ進む。これにより、ファインダー３００Ｃの視度調節がオフされる。
【００６７】
ステップＳ２１３において、ＣＰＵ１６は表示部９を起動させてステップＳ２０９へ進む。これにより、撮像素子４０１によって撮像された画像を用いて生成されたモニタ画像が表示部９に表示され、ユーザは、表示部９の表示画面からモニタ画像を観察できる。
【００６８】
ステップＳ２０２へ進む場合は外部表示モード→EVF表示モードへ切替える場合である。ステップＳ２０２において、ＣＰＵ１６は表示部９をオフさせてステップＳ２０３へ進む。ステップＳ２０３において、ＣＰＵ１６は不揮発性メモリに記憶されている視度情報（ｘ）、電圧情報（Ｖ）および温度情報（ｔ）を読み出してステップＳ２０４へ進む。
【００６９】
視度情報（ｘ）、電圧情報（Ｖ）および温度情報（ｔ）は、後述する電源オフ処理（図１４）において記憶されたものである。ステップＳ２０４において、ＣＰＵ１６は可変焦点部材３１０の温度計測を行う。具体的には、温度センサ３１１から温度検出信号を入力してステップＳ２０５へ進む。
【００７０】
ステップＳ２０５において、ＣＰＵ１６は、ステップＳ２０３で読み出した視度情報（ｘ）に応じた焦点距離を再現するように可変焦点部材３１０に対する印加電圧を決定する。具体的には、ステップＳ２０４で計測した可変焦点部材３１０の温度情報と、ステップＳ２０３で読み出した温度情報（ｔ）とに基づいてステップＳ２０３で読み出した電圧情報（Ｖ）を増減し、これらの温度差によって生じる可変焦点部材３１０の焦点距離の変動を抑制して不揮発性メモリに記憶されている視度情報（ｘ）を得るために必要な印加電圧を求める。
【００７１】
ステップＳ２０６において、ＣＰＵ１６は、上記決定電圧を給電部５０１に指示してステップＳ２０７へ進む。これにより、可変焦点部材３１０（光学素子）への給電電圧が制御される。ステップＳ２０７において、ＣＰＵ１６は視度情報（ｘ）、電圧情報（Ｖ）および温度情報（ｔ）をＣＰＵ１６内の不揮発性メモリ（不図示）へそれぞれ更新記憶させてステップＳ２０８へ進む。
【００７２】
ステップＳ２０８において、ＣＰＵ１６は、観察光学系３００Ｃの液晶表示素子３０６を起動させてステップＳ２０９へ進む。これにより、撮像素子４０１によって撮像された画像を用いて生成されたモニタ画像が液晶表示素子３０６に表示され、ユーザは、可変焦点部材３１０によって拡大されたモニタ画像をファインダー接眼窓１０から観察できる。ステップＳ２０９において、ＣＰＵ１６は、切替え後の表示モードを示す情報を不揮発性メモリ（不図示）へ更新記憶させて図１２による処理を終了する。
【００７３】
＜温度フィードバック処理＞
図１３は、図１０のステップＳ２３における温度フィードバック処理の詳細を説明するフローチャートである。図１３のステップＳ２３１において、ＣＰＵ１６は所定間隔で可変焦点部材３１０の温度計測を行う。具体的には、たとえば５分間隔で温度センサ３１１から温度検出信号を入力し、直近の検出信号を採用してステップＳ１４３へ進む。
【００７４】
ステップＳ１４３、ステップＳ１４５〜ステップＳ１４７の処理は、図１１の処理における同一ステップ番号の処理と同様なので説明を省略する。なお、ステップＳ１４７を否定判定した場合は図１３による処理を終了する。すなわち、外部表示モードの場合は、観察光学系３００Ｃの可変焦点部材３１０（光学素子）の焦点距離についての温度変動に伴う補正処理を行わない。
【００７５】
ステップＳ１４４Ａにおいて、ＣＰＵ１６は、ステップＳ１４３で決定した電圧をフォーカス駆動部１９Ｂから給電部５０４へ指示させてステップＳ１４５へ進む。これにより、可変焦点部材４１０（光学素子）への給電電圧が制御される。ステップＳ２３２〜ステップＳ２３５の処理は、第一の実施形態（図６）の処理における同一ステップ番号の処理と同様なので説明を省略する。
【００７６】
＜電源オフ処理＞
図１４は、図１０のステップＳ２７における電源オフ処理の詳細を説明するフローチャートである。図１４のステップＳ２８１において、ＣＰＵ１６は、現在設定されている表示モードがEVF表示モードか否かを判定する。ＣＰＵ１６は、不揮発性メモリ（不図示）から呼出した情報がEVF表示モードを示す場合にステップＳ２８１を肯定判定してステップＳ２７１へ進む。ＣＰＵ１６は、上記呼出し情報が外部表示モードを示す場合にはステップＳ２８１を否定判定し、ステップＳ２８４へ進む。
【００７７】
外部表示モードへ切替えているＣＰＵ１６は、ステップＳ２８４において、表示部９をオフさせてステップＳ２８２へ進む。一方、EVF表示モードへ切替えているＣＰＵ１６は、ステップＳ２７１において、観察光学系３００Ｃの液晶表示素子３０６をオフさせてステップＳ２７２へ進む。ステップＳ２７２〜ステップＳ２７４およびステップＳ２７５の処理は、第一の実施形態（図７）の処理における同一ステップ番号の処理と同様なので説明を省略する。
【００７８】
ステップＳ２８２において、ＣＰＵ１６は、可変焦点部材４１０（光学素子）への電圧印加の停止をフォーカス駆動部１９Ｂから給電部５０４へ指示させてステップＳ２８３へ進む。これにより、撮影光学系４００Ｃのフォーカス調節状態が解除される。ステップＳ２８３において、ＣＰＵ１６は温度情報（ｔb）をＣＰＵ１６内の不揮発性メモリ（不図示）へ更新記憶させてステップＳ２７５へ進む。
【００７９】
以上説明した第二の実施形態によれば、次の作用効果が得られる。
（１）たとえば外部表示モード時に表示モード切替操作信号が入力された場合のように、液晶表示素子３０６による表示（モニタ画像の生成）の開始を指示する操作信号が入力された場合にも、可変焦点部材３１０をオンさせてから液晶表示素子３０６がモニタ画像を表示するようにした。モニタ画像を表示する以前に可変焦点部材３１０をオンさせておくことで、ユーザがぼけた像を観察することを防止できる。
【００８０】
（２）たとえばEVF表示モード時に表示モード切替操作信号が入力された場合のように、液晶表示素子３０６による表示の停止を指示する操作信号が入力された場合にも、液晶表示素子３０６にモニタ画像の表示を停止させてから可変焦点部材３１０の機能を停止させるようにした。可変焦点部材３１０をオフする以前にモニタ画像の表示を停止させておくことで、ユーザがぼけた像を観察することを防止できる。
【００８１】
（３）液晶表示素子３０６による表示の開始を指示する操作信号が入力された場合であって、液晶表示素子３０６が撮像素子４０１によって撮像された信号を用いてモニタ画像を表示する場合、液晶表示素子３０６がモニタ画像を表示する前に可変焦点部材３１０をオン、かつ撮像素子４０１を起動しておくようにした。モニタ画像を表示する以前に撮像の開始と可変焦点部材３１０の駆動をしておくことで、ユーザがぼけたモニタ像を観察することを防止できる。
【００８２】
（４）液晶表示素子３０６が撮像素子４０１によって撮像された信号を用いてモニタ画像を表示している場合であって、液晶表示素子３０６による表示の停止を指示する操作信号が入力された場合、可変焦点部材３１０および撮像素子４０１の双方をオフする前に液晶表示素子３０６によるモニタ画像の表示を停止させるようにした。撮像の停止および可変焦点部材３１０をオフする以前にモニタ画像の表示を停止しておくことで、ユーザがぼけたモニタ像を観察することを防止できる。
【００８３】
（５）印加電圧に応じて焦点距離を変える可変焦点部材４１０（液体レンズ）を撮影光学系４００Ｃに備えて撮影光学系のフォーカス調節を行うようにした（図１２）。これにより、供給する電圧を制御するだけで撮影光学系４００Ｃによるフォーカスを調節できる。
【００８４】
（６）カメラ内の温度情報を検出し、この温度情報を用いて可変焦点部材４１０に印加する電圧を増減するようにした。このような環境フィードバック処理を施すことにより、液体レンズのパワーが温度依存性を有する場合には検出温度に応じてパワーを補正し、電子カメラ１Ｂを使用する温度にかかわらず、撮影光学系４００Ｃの合焦距離の変動を抑えることができる。
【００８５】
（７）上記（３）に加えて、撮像素子４０１が上記（５）、（６）の撮影光学系４００Ｃを通して撮像する場合、液晶表示素子３０６がモニタ画像を表示する前に可変焦点部材４１０をオン、かつ撮像素子４０１を起動しておくようにした。モニタ画像を表示する以前に撮像の開始と可変焦点部材４１０の駆動をしておくことで、ユーザがぼけたモニタ像を観察することを防止できる。
【００８６】
（８）上記（４）に加えて、撮像素子４０１が上記（５）、（６）の撮影光学系４００Ｃを通して撮像する場合、可変焦点部材４１０および撮像素子４０１の双方をオフする前に液晶表示素子３０６によるモニタ画像の表示を停止させるようにした。撮像の停止および可変焦点部材４１０をオフする以前にモニタ画像の表示を停止しておくことで、ユーザがぼけたモニタ像を観察することを防止できる。
【００８７】
（変形例１）
液体レンズの焦点距離を変化させる例として印加電圧を変化させる例を説明したが、液体レンズへ供給する電圧や液体レンズ周囲の磁界を変化させることによって焦点距離を変化させる場合にも本発明を適用してよい。また、液体レンズの液体に圧力を加えて液体レンズの焦点距離を変化させる場合には、当該圧力を圧電素子によって加える構成とすれば、上述した実施形態と同様に、印加電圧を変化させることによって液体レンズの焦点距離を変化させることができる。
【００８８】
（変形例２）
液体レンズの環境情報として温度情報を検出する例を説明したが、たとえば圧力（気圧）や湿度などを検出するセンサを設け、これらの検出情報を用いて視度または合焦距離を補正するようにすることもできる。たとえば上述の変形例１で示したような、液体に圧力を加えて液体レンズの焦点距離を変化させるタイプの可変焦点部材を使用する場合には、液体レンズの環境情報として圧力（気圧）情報を用いることは、特に有用であると考えられる。
【００８９】
（変形例３）
電子カメラを例に説明したが、本発明は、観察光学系を備えたフィルムカメラにも適用することができる。さらにまた、観察光学系を備えた光学装置、たとえばヘッドマウントディスプレイなどの光学装置、あるいは視度測定用の医療光学機器にも適用することができる。以上の説明はあくまで一例であり、上記の実施形態の構成に何ら限定されるものではなく、各実施形態および変形例は、適宜組み合わせてもかまわない。
【図面の簡単な説明】
【００９０】
【図１】本発明の第一の実施形態による電子カメラの正面図である。
【図２】図１の電子カメラの背面図である。
【図３】電子カメラの要部構成を例示するブロック図である。
【図４】ＣＰＵが実行するメイン処理の流れを説明するフローチャートである。
【図５】初期設定処理の詳細を説明するフローチャートである。
【図６】温度フィードバック処理の詳細を説明するフローチャートである。
【図７】電源オフ処理の詳細を説明するフローチャートである。
【図８】第二の実施形態による電子カメラの背面図である。
【図９】図８の電子カメラの要部構成を例示するブロック図である。
【図１０】ＣＰＵが実行するメイン処理の流れを説明するフローチャートである。
【図１１】初期設定処理の詳細を説明するフローチャートである。
【図１２】表示切替処理の詳細を説明するフローチャートである。
【図１３】温度フィードバック処理の詳細を説明するフローチャートである。
【図１４】電源オフ処理の詳細を説明するフローチャートである。
【符号の説明】
【００９１】
１、１Ｂ…電子カメラ
４…メインスイッチ
１５Ｂ…表示モード切替スイッチ
１６…ＣＰＵ（不揮発性メモリ）
１９、１９Ｂ…フォーカス駆動部
３００Ｃ…観察光学系
３１０、４１０…可変焦点部材（光学素子）
３１０Ａ、３１０Ｂ…液体
３１１、４１１…温度センサ
４００、４００Ｃ…撮影光学系
４０１…撮像素子
５０１、５０４…給電部
５０２…電源
５０３…電圧計
【図１】
2009086585.tif 000003
【図２】
2009086585.tif 000004
【図３】
2009086585.tif 000005
【図４】
2009086585.tif 000006
【図５】
2009086585.tif 000007
【図６】
2009086585.tif 000008
【図７】
2009086585.tif 000009
【図８】
2009086585.tif 000010
【図９】
2009086585.tif 000011
【図１０】
2009086585.tif 000012
【図１１】
2009086585.tif 000013
【図１２】
2009086585.tif 000014
【図１３】
2009086585.tif 000015
【図１４】
2009086585.tif 000016